(57)【要約】【課題】回動支点軸を挿入穴に対して所定位置まで確実に挿入することが可能な画像形成装置を提供する。【解決手段】この画像形成装置１００は、開閉カバー１０と、開閉カバー１０を回動可能に支持する回動支点軸３０と、装置本体１の一側面に対して突出する突出位置と収納される収納位置とに選択配置される取手２０と、を備える。開閉カバー１０には、回動支点軸３０が挿入される第１挿入穴１１ａが設けられている。装置本体１には、回動支点軸３０が挿入される第２挿入穴４１ａと、ガイド部４２と、が設けられている。回動支点軸３０が挿入未完了位置に配置された状態で取手２０が突出位置から収納位置に配置される場合に、取手２０が回動支点軸３０の曲げ部３２を押圧し、曲げ部３２がガイド部４２に当接することによって、回動支点軸３０が挿入未完了位置から挿入完了位置に移動する。【選択図】図２
2018021984.tif 000002
【特許請求の範囲】
【請求項１】
装置本体と、
前記装置本体の一側面に対して回動可能に設けられる開閉カバーと、
前記開閉カバーを回動可能に支持する回動支点軸と、
前記装置本体の一側面に設けられ、前記装置本体の一側面に対して突出する突出位置と、前記装置本体に収納される収納位置と、に選択配置される突出部材と、
を備え、
前記開閉カバーには、前記回動支点軸が挿入される円形状の第１挿入穴と、前記第１挿入穴の回動支点軸挿入方向上流側に隣接して設けられ、前記回動支点軸に当接するＵ字形状の当接面と、を有する第１支持部が設けられ、
前記装置本体には、前記回動支点軸が挿入される第２挿入穴を有し前記回動支点軸を回動可能に支持する第２支持部と、前記回動支点軸が当接可能なガイド部と、が設けられ、
前記回動支点軸は、前記第１挿入穴および前記第２挿入穴に挿入される挿入部と、前記挿入部に対して折り曲げられた曲げ部と、を有し、
前記回動支点軸は、前記挿入部が前記第１挿入穴および前記第２挿入穴に対して所定位置まで挿入された挿入完了位置と、前記挿入部が前記当接面に当接可能で、且つ前記第１挿入穴および前記第２挿入穴に対して所定位置まで挿入されていない挿入未完了位置と、の間を前記挿入部の軸方向に移動可能であり、
前記回動支点軸が前記挿入未完了位置に配置された状態で前記突出部材が前記突出位置から前記収納位置に配置される場合に、前記突出部材が前記回動支点軸の前記曲げ部を押圧し、前記曲げ部が前記ガイド部に当接することによって、前記回動支点軸が前記挿入未完了位置から前記挿入完了位置に移動することを特徴とする画像形成装置。
【請求項２】
前記曲げ部は、前記挿入部に対して略垂直に折り曲げられた第１曲げ部を有し、
前記第１曲げ部が前記ガイド部に当接することによって、前記回動支点軸が前記挿入未完了位置から前記挿入完了位置に移動することを特徴とする請求項１に記載の画像形成装置。
【請求項３】
前記曲げ部は、前記第１曲げ部に対して略垂直に折り曲げられた第２曲げ部をさらに有し、
前記回動支点軸が前記挿入未完了位置に配置された状態で前記突出部材が前記突出位置から前記収納位置に配置される場合に、前記突出部材は前記第２曲げ部を押圧することを特徴とする請求項２に記載の画像形成装置。
【請求項４】
前記ガイド部は、前記曲げ部が当接可能であるとともに前記挿入部の挿入方向に対して傾斜する傾斜面を有することを特徴とする請求項１〜３のいずれか１項に記載の画像形成装置。
【請求項５】
前記突出部材は、前記装置本体の一側面に対して回動可能に設けられていることを特徴とする請求項１〜４のいずれか１項に記載の画像形成装置。
【請求項６】
前記装置本体は、前記第２支持部が取り付けられる金属製の本体フレームを有し、
前記第１支持部には、導電性のアース部材が取り付けられており、
前記回動支点軸および前記第２支持部は、金属製であり、
前記回動支点軸が前記第１挿入穴および前記第２挿入穴に挿入されることにより、前記回動支点軸が前記アース部材に接触し、前記アース部材が前記回動支点軸を介して前記本体フレームにアース接続されることを特徴とする請求項１〜５のいずれか１項に記載の画像形成装置。
【請求項７】
前記ガイド部は、前記挿入部に対して上下方向両側に設けられていることを特徴とする請求項１〜６のいずれか１項に記載の画像形成装置。
【発明の詳細な説明】
【技術分野】
【０００１】
本発明は、画像形成装置に関し、特に、装置本体の一側面に対して回動可能に設けられる開閉カバーを備えた画像形成装置に関する。
【背景技術】
【０００２】
従来、装置本体の一側面に対して回動可能に設けられた開閉カバーを備えた画像形成装置が知られている。このような画像形成装置では、開閉カバーを開状態にすることによって、例えば用紙搬送路の内側が露出するように構成されている。これにより、用紙搬送路のジャム処理を容易に行うことができる。
【０００３】
また、上記のような画像形成装置では、開閉カバーおよび装置本体それぞれに回動支点軸を挿入するための挿入穴が設けられ、開閉カバーは回動支点軸を中心として回動可能に構成されている。
【０００４】
なお、開閉カバーが回動支点軸を中心として回動可能に構成された画像形成装置は、例えば特許文献１に開示されている。
【先行技術文献】
【特許文献】
【０００５】
【特許文献１】特開２０１５−２８５３４号公報
【発明の概要】
【発明が解決しようとする課題】
【０００６】
しかしながら、従来の画像形成装置では、例えばユーザーが開閉カバーを一旦取り外した後に再装着する際に、回動支点軸が挿入穴に対して所定位置まで挿入されなかった場合、例えば取手（突出部材）を装置本体に収納する際に取手が回動支点軸に当接し、取手を装置本体に収納することができない、という問題点があった。
【０００７】
本発明は、上記のような課題を解決するためになされたものであり、本発明の目的は、回動支点軸を挿入穴に対して所定位置まで確実に挿入することが可能な画像形成装置を提供することである。
【課題を解決するための手段】
【０００８】
上記目的を達成するために、本発明の第１の構成の画像形成装置は、装置本体と、装置本体の一側面に対して回動可能に設けられる開閉カバーと、開閉カバーを回動可能に支持する回動支点軸と、装置本体の一側面に設けられ、装置本体の一側面に対して突出する突出位置と、装置本体に収納される収納位置と、に選択配置される突出部材と、を備える。開閉カバーには、回動支点軸が挿入される円形状の第１挿入穴と、第１挿入穴の回動支点軸挿入方向上流側に隣接して設けられ、回動支点軸に当接するＵ字形状の当接面と、を有する第１支持部が設けられ、装置本体には、回動支点軸が挿入される第２挿入穴を有し回動支点軸を回動可能に支持する第２支持部と、回動支点軸が当接可能なガイド部と、が設けられ、回動支点軸は、第１挿入穴および第２挿入穴に挿入される挿入部と、挿入部に対して折り曲げられた曲げ部と、を有し、回動支点軸は、挿入部が第１挿入穴および第２挿入穴に対して所定位置まで挿入された挿入完了位置と、挿入部が当接面に当接可能で、且つ第１挿入穴および第２挿入穴に対して所定位置まで挿入されていない挿入未完了位置と、の間を挿入部の軸方向に移動可能であり、回動支点軸が挿入未完了位置に配置された状態で突出部材が突出位置から収納位置に配置される場合に、突出部材が回動支点軸の曲げ部を押圧し、曲げ部がガイド部に当接することによって、回動支点軸が挿入未完了位置から挿入完了位置に移動する。
【発明の効果】
【０００９】
本発明の第１の構成によれば、回動支点軸が挿入未完了位置に配置された状態で突出部材が突出位置から収納位置に配置される場合に、突出部材が回動支点軸の曲げ部を押圧し、曲げ部がガイド部に当接することによって、回動支点軸が挿入未完了位置から挿入完了位置に移動する。これにより、回動支点軸が挿入完了位置まで挿入されていない場合であっても、突出部材を突出位置から収納位置に配置する際に回動支点軸を挿入完了位置（所定位置）に確実に移動させることができる。このため、突出部材を装置本体に収納することができる。
【図面の簡単な説明】
【００１０】
【図１】本発明の一実施形態の画像形成装置の全体構成を示した斜視図である。
【図２】本発明の一実施形態の画像形成装置の回動支点軸周辺の構造を示した斜視図である。
【図３】本発明の一実施形態の画像形成装置の第１支持部の構造を示した図である。
【図４】本発明の一実施形態の画像形成装置の第１支持部および第２支持部周辺の構造を示した断面図であり、回動支点軸が挿入完了位置に配置された状態を示した図である。
【図５】本発明の一実施形態の画像形成装置の第１支持部および第２支持部周辺の構造を示した断面図であり、回動支点軸が挿入未完了位置に配置された状態を示した図である。
【発明を実施するための形態】
【００１１】
以下、本発明の実施形態について図面を参照して説明する。
【００１２】
図１〜図５を参照して、本発明の一実施形態の画像形成装置１００について説明する。図１に示すように、画像形成装置１００（ここでは一例としてデジタル複合機を示す）は、装置本体（画像形成装置本体）１と、その上部に配設された画像読取部２と、を備える。
【００１３】
画像読取部２の正面部には、表示部や操作キーを有する操作パネル３が設けられている。なお、画像読取部２の上部には、コンタクトガラス２ａ上に載置された原稿を押えるプラテン（図示せず）が開閉可能に設けられている。
【００１４】
画像読取部２と装置本体１との間には、左側面及び正面に向けて大きく開放された胴内排紙空間４が設けられている。
【００１５】
装置本体１の正面部には、用紙（記録媒体）を収納する複数（ここでは２つ）の給紙カセット５が装置本体１に対して着脱可能に設けられている。
【００１６】
装置本体１の内部には、図示しない画像形成部、定着部、用紙搬送路などが設けられている。画像形成部は、画像読取部２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送路（図示せず）は装置本体１の右側面に沿って上方に向かって延びており、給紙カセット５から画像形成部に用紙を搬送する。
【００１７】
また、装置本体１の内部の右側下部には、給紙カセット５から用紙を送り出し、上方に配置された用紙搬送路（図示せず）に用紙を搬送する給紙部（図示せず）が設けられている。また、装置本体１の右側面には、用紙搬送路の右側を覆う開閉カバー１０と、開閉カバー１０の前後方向両側に隣接して配置される一対の取手（突出部材）２０と、が設けられている。
【００１８】
次に、開閉カバー１０周辺の構造について説明する。
【００１９】
開閉カバー１０は、装置本体１の右側面に対して回動可能に設けられている。開閉カバー１０を開状態にすることによって、用紙搬送路の内側が露出するので、用紙搬送路のジャム処理を行うことが可能である。
【００２０】
開閉カバー１０は図２に示すように、開閉カバー１０の下部の前後方向両側に設けられた回動支点軸３０に支持されており、回動支点軸３０を中心として回動可能である。なお、開閉カバー１０の下部周辺において前側部分と後側部分とは略対称に構成されているため、ここでは前側部分のみ図示している。また、図２では、理解を容易にするために、開閉カバー１０および装置本体１の外装カバーを取り外した状態を示している。
【００２１】
開閉カバー１０には、回動支点軸３０が回動可能に挿入される第１支持部１１（図３および図４参照）が設けられている。第１支持部１１は図３および図４に示すように、回動支点軸３０が挿入される円形状の第１挿入穴１１ａと、第１挿入穴１１ａの回動支点軸挿入方向上流側（図４の左側）に隣接して設けられ、回動支点軸３０に当接するＵ字形状の当接面１１ｂと、を有する。
【００２２】
図２に示すように、装置本体１は金属製の本体フレーム４０を有する。本体フレーム４０には、回動支点軸３０が挿入される一対の第２挿入穴４１ａを有し、回動支点軸３０を回動可能に支持する板金製の第２支持部４１が固定されている。
【００２３】
回動支点軸３０は、金属棒を折り曲げることにより形成されており、第１挿入穴１１ａおよび第２挿入穴４１ａに挿入される挿入部３１と、挿入部３１に対して折り曲げられた曲げ部３２と、を有する。曲げ部３２は、挿入部３１に対して略垂直に折り曲げられた第１曲げ部３２ａと、第１曲げ部３２ａに対して略垂直に折り曲げられ挿入部３１と略平行に延びる第２曲げ部３２ｂと、を有する。
【００２４】
挿入部３１が第２挿入穴４１ａおよび第１挿入穴１１ａに挿入されることによって、開閉カバー１０が挿入部３１を中心として回動する。なお、回動支点軸３０は、挿入部３１が第１挿入穴１１ａおよび第２挿入穴４１ａに対して所定位置まで挿入された挿入完了位置（図４の位置）と、挿入部３１が当接面１１ｂに当接可能で、且つ第１挿入穴１１ａおよび第２挿入穴４１ａに対して所定位置まで挿入されていない挿入未完了位置（例えば図５の位置）と、の間で挿入部３１の軸方向に移動可能である。
【００２５】
図２および図４に示すように、第１支持部１１の第２支持部４１側の面には、板金製のアース板１２が取り付けられている。このアース板１２には、開閉カバー１０に設けられた搬送ローラーのローラー軸が電気的に接続されている。また、アース板１２には、挿入部３１が挿入されるとともに挿入部３１に接触する切り欠き１２ａが設けられている。挿入部３１が第２挿入穴４１ａおよび第１挿入穴１１ａに挿入されることによって、挿入部３１がアース板１２に接触し、アース板１２が挿入部３１を介して本体フレーム４０にアース接続される。
【００２６】
図２に示すように、装置本体１の第１曲げ部３２ａ近傍部分には、第１曲げ部３２ａが当接可能な一対のガイド部４２が設けられている。ガイド部４２は、挿入部３１に対して上下方向両側に設けられている。ガイド部４２には、第１曲げ部３２ａが当接可能であるとともに、挿入部３１の挿入方向に対して傾斜する傾斜面４２ａが形成されている。
【００２７】
取手２０は、装置本体１を持ち上げる際に把持されるものであり、装置本体１の右側面に対して回動軸２０ａを中心として回動可能に設けられている。取手２０は、装置本体１の右側面に対して突出する突出位置（図２の位置）と、装置本体１に設けられた収納凹部６（図１参照）に収納される収納位置（図１の位置）と、に選択配置される。
【００２８】
回動支点軸３０が挿入未完了位置に配置された状態で取手２０が突出位置から収納位置に配置される場合、取手２０が第２曲げ部３２ｂを押圧し、第１曲げ部３２ａがガイド部４２の傾斜面４２ａに沿って前後方向の装置内側（図２では右側）に移動することによって、回動支点軸３０が挿入未完了位置から挿入完了位置にスライド移動する。
【００２９】
次に、開閉カバー１０の装置本体１に対する取付方法について説明する。
【００３０】
取手２０を突出位置に配置した状態で回動支点軸３０の挿入部３１の先端部を第２挿入穴４１ａに挿入する。このとき、挿入部３１を、第２挿入穴４１ａから少しだけ突出させるとともに、第１支持部１１の当接面１１ｂに当接可能な位置（図５の位置）に配置する。
【００３１】
そして、開閉カバー１０の第１支持部１１の当接面１１ｂを挿入部３１に当接させることにより、図５に示すように挿入部３１の延長線上に第１挿入穴１１ａが配置される。この状態で、回動支点軸３０をさらに挿入して挿入完了位置に配置する。なお、このとき、回動支点軸３０をさらに挿入しなくてもよいし、挿入完了位置の手前までしか挿入しなくてもよい。
【００３２】
その後、取手２０を突出位置から収納位置に向かって回動させる。このとき、回動支点軸３０が挿入未完了位置に配置されていたとしても、取手２０が第２曲げ部３２ｂを押圧し、第１曲げ部３２ａがガイド部４２の傾斜面４２ａに沿って移動することによって、回動支点軸３０が挿入完了位置に挿入される。
【００３３】
本実施形態では、上記のように、回動支点軸３０が挿入未完了位置に配置された状態で取手２０が突出位置から収納位置に配置される場合に、取手２０が回動支点軸３０の曲げ部３２を押圧し、曲げ部３２がガイド部４２に当接することによって、回動支点軸３０が挿入未完了位置から挿入完了位置に移動する。これにより、例えばユーザーが開閉カバー１０を一旦取り外した後に再装着する際に、回動支点軸３０が挿入完了位置まで挿入されなかった場合であっても、取手２０を突出位置から収納位置に配置する際に回動支点軸３０を挿入完了位置（所定位置）に確実に移動させることができる。このため、取手２０を装置本体１に収納することができる。
【００３４】
また、第１支持部１１は、円形状の第１挿入穴１１ａと、第１挿入穴１１ａの回動支点軸挿入方向上流側に隣接して設けられ、回動支点軸３０に当接するＵ字形状の当接面１１ｂと、を有する。これにより、回動支点軸３０の挿入部３１の先端部を第２挿入穴４１ａし、挿入部３１上に開閉カバー１０の当接面１１ｂを配置することによって、挿入部３１の延長線上に第１挿入穴１１ａが配置される。このため、挿入部３１を容易に挿入完了位置まで挿入することができる。
【００３５】
また、上記のように、第１曲げ部３２ａがガイド部４２に当接することによって、回動支点軸３０が挿入未完了位置から挿入完了位置に移動する。これにより、回動支点軸３０を容易に挿入完了位置に移動させることができる。
【００３６】
また、上記のように、回動支点軸３０が挿入未完了位置に配置された状態で取手２０が突出位置から収納位置に配置される場合に、取手２０は第２曲げ部３２ｂを押圧する。これにより、取手２０によって容易に曲げ部３２を押圧することができる。
【００３７】
また、上記のように、ガイド部４２は、曲げ部３２が当接されるとともに挿入部３１の挿入方向に対して傾斜する傾斜面４２ａを有する。これにより、曲げ部３２が傾斜面４２ａに沿って移動するので、回動支点軸３０を容易に挿入完了位置に移動させることができる。
【００３８】
また、上記のように、取手２０は、装置本体１の一側面に対して回動可能に設けられている。これにより、取手２０によって容易に曲げ部３２を押圧することができる。
【００３９】
また、上記のように、回動支点軸３０が第１挿入穴１１ａおよび第２挿入穴４１ａに挿入されることにより、回動支点軸３０がアース板１２に接触し、アース板１２が回動支点軸３０を介して本体フレーム４０にアース接続される。これにより、開閉カバー１０に設けられる搬送ローラーのローラー軸を容易に本体フレーム４０にアース接続することができる。
【００４０】
また、上記のように、ガイド部４２は挿入部３１に対して上下方向両側に設けられている。これにより、取手２０が突出位置から収納位置に配置される際に、回動支点軸３０が上側に回動する場合も下側に回動する場合も、第１曲げ部３２ａを容易にガイド部４２に当接させることができる。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
例えば、上記実施形態では、本発明を複合機に適用した例について示したが、本発明はこれに限らず、複写機、プリンター、ファクシミリ等の、開閉カバーを備えた種々の画像形成装置に適用可能である。
【００４３】
また、上記実施形態では、突出部材として取手２０を用いる例について示したが、本発明はこれに限らず、突出部材として取手以外の別部材を用いてもよい。
【００４４】
また、上記実施形態では、開閉カバーとして、開状態にすることにより用紙搬送路の内側を露出させるカバーを用いた例について示したが、本発明はこれに限らない。例えば、開閉カバーとして、開状態にすることにより手差しトレイとなるカバーを用いてもよい。
【００４５】
また、上記実施形態では、取手２０を回動軸２０ａを中心として回動する回動式に構成する例について示したが、本発明はこれに限らず、取手２０を装置本体１の側面に対して垂直方向に移動するスライド式に構成してもよい。この場合、例えば取手２０の先端部に曲げ部３２を押圧する押圧片を設けてもよい。
【００４６】
また、上記実施形態では、曲げ部３２に第１曲げ部３２ａと第２曲げ部３２ｂとを設け、取手２０が第２曲げ部３２ｂを押圧するように構成した例について示したが、本発明はこれに限らない。第２曲げ部３２ｂを設けず、取手２０が第１曲げ部３２ａを押圧するように構成してもよい。
【００４７】
また、上記実施形態では、ガイド部４２を挿入部３１に対して上下方向両側に設けた例について示したが、本発明はこれに限らず、ガイド部４２を挿入部３１に対して上下方向片側のみに設けてもよい。この場合、回動支点軸３０の回動方向を規制する規制部を設ければよい。
【符号の説明】
【００４８】
１  装置本体
１０  開閉カバー
１１  第１支持部
１１ａ  第１挿入穴
１１ｂ  当接面
１２  アース板（アース部材）
２０  取手（突出部材）
３０  回動支点軸
３１  挿入部
３２  曲げ部
３２ａ  第１曲げ部
３２ｂ  第２曲げ部
４０  本体フレーム
４１  第２支持部
４１ａ  第２挿入穴
４２  ガイド部
４２ａ  傾斜面
１００  画像形成装置
【図１】
2018021984.tif 000003
【図２】
2018021984.tif 000004
【図３】
2018021984.tif 000005
【図４】
2018021984.tif 000006
【図５】
2018021984.tif 000007